(57)【要約】      （修正有）【課題】常に綺麗な清拭面が順番に露出でき、衛生的な使用を可能にすると同時に重複面の消耗を未然に防止できる清拭タオルを提供する。【解決手段】長方形状のタオル本体１の長手方向に沿って形成した中央の縦折り線３と、縦折り線３に直交するようにタオル本体１の幅方向に沿って形成した複数の横折り線４とによって、下段および上段で端から順次に区画形成した複数個の清拭区画面（ａ，ｂ，ｃ…）を備える。横折り線４、縦折り線３により、タオル本体１を複数の清拭区画面（ａ，ｂ，ｃ…）の最小単位に折り畳むことで左縁側もしくは右縁側から順次捲り返し可能とし、折り畳み時の表面に位置する清拭区画面ａ、順次捲り返して露出する各清拭区画面（ｅ，ｌ，ｐ，ｊ，ｃ）それぞれが互いに順序付けできるよう当該清拭区画面（ａ，ｅ，ｌ，ｐ，ｊ，ｃ）それぞれに捲り順表示手段５を表示する。【選択図】図１
0003151520.tif 000002
【実用新案登録請求の範囲】
【請求項１】
長方形状に形成されたタオル本体の長手方向に沿って形成された中央の縦折り線と、該縦折り線に直交するようにタオル本体の幅方向に沿って形成された複数の横折り線とによって、下段および上段で端から順次形成された複数個の清拭区画面を備え、複数の横折り線を介しての横折り込みと、中央の縦折り線を介しての縦折り込みとにより、タオル本体を複数の清拭区画面の最小単位にまで折り畳まれることで左縁側もしくは右縁側から順次捲り返し可能とし、この折り畳み状態の表面に位置する清拭区画面、および当該折り畳み状態からタオル本体を順次捲り返して露出する各清拭区画面それぞれが互いに順序付けられるよう当該清拭区画面それぞれに捲り順表示手段を表示して成ることを特徴とした清拭タオル。
【請求項２】
捲り順表示手段は、異なる番号もしくは異なる文字による符号、または互いに異なる色、あるいは色違いの符号である請求項１記載の清拭タオル。
【請求項３】
タオル本体は、前記中央の縦折り線と複数の横折り線とによって、下段に合計８個の矩形状の清拭区画面が、上段に合計８個の矩形状の清拭区画面がそれぞれ区画形成され、複数の横折り線を介しての横折り込みと、中央の縦折り線を介しての縦折り込みとにより、タオル本体を複数の清拭区画面の最小単位にまで折り畳まれることで左縁側もしくは右縁側から順次捲り返し可能とし、この折り畳み状態の表面に位置する１つの清拭区画面、および当該折り畳み状態からタオル本体を順次捲り返して露出する５つの清拭区画面それぞれが互いに順序付けられるよう、各清拭区画面それぞれに前記捲り順表示手段を表示して成る請求項１または２記載の清拭タオル。
【請求項４】
タオル本体は、互いに順序付けられる各清拭区画面それぞれの表面に表示された捲り順表示手段に対応して、当該各清拭区画面の裏面にも同じ捲り順表示手段が表示されている請求項１乃至３のいずれか記載の清拭タオル。
【請求項５】
タオル本体の一面に、折り畳み状態からタオル本体を順次捲り返して露出する各清拭区画面の順序が、タオル本体を捲り返すときの右側方面あるいは左側方面のいずれかであるかを区別して表示する捲り順表示手段を２通りにして表示してある請求項１乃至４のいずれか記載の清拭タオル。
【考案の詳細な説明】
【技術分野】
【０００１】
本考案は、例えば被介護者、病人等の身体を清拭するのに、コンパクトな形態にして使用できるようにする清拭タオルに関する。
【背景技術】
【０００２】
従来、例えば特許文献１に開示されているように、医療分野等で患者の身体を清拭する場合において、タオルと同様の目的で使用される医療用清拭布が存在する。すなわち、これは、清拭タオルと同等程度の引張強さを有する厚みの不織布から成り、所定幅に形成した長方形状の不織布の幅方向に所定間隔でミシン目を形成したものである。そして、使用の際はロール状に長方形状の不織布を巻いておき、これを繰り出してミシン目に沿って引き破り、タオルと同等程度の所定大きさの清拭布としてこれを必要に応じて折り畳んで使用するものとなっている。
【先行技術文献】
【特許文献】
【０００３】
【特許文献１】特開平８−１４０８８６号公報
【考案の概要】
【考案が解決しようとする課題】
【０００４】
しかしながら、この従来の医療用清拭布においては、タオルの折り畳みが不揃いとなるため、タオルの同じ面が何回もの清拭に重複して使われてしまうことがあり、そうすると、この重複使用された面が早く消耗してしまう。しかも、この面に汚染物の付着が蓄積されることで、同じ面を何回も重複して清拭に使用した場合には、かえって身体に汚れが付着してしまうという問題点を有していた。
【０００５】
そればかりでなく、清拭すべき例えば被介護者や病人等に対し、タオルを拡げたままで使用すると、清拭する作業者の手の周辺にまでタオルが拡がることで作業を円滑に行えず被介護者等に不快感を与える。しかも、拡げたままで使用すると、使用に伴い汚れてくるタオルの同じ面、部分等をそのまま使用することにもなり、衛生的ではない。
【０００６】
そこで、本考案は叙上のような従来存した諸事情に鑑み創案されたもので、折り畳みの状態から順次捲り返して順次に使用することで常に綺麗な清拭面が順番に露出できるようにし、そのため、同じ面が何回もの清拭に重複して使われないようにすることで常に新しい清拭面によって衛生的な使用を可能にすると同時に重複面の消耗を未然に防止できるものとした清拭タオルを提供することを目的とする。
【課題を解決するための手段】
【０００７】
上述した課題を解決するために、本考案にあっては、長方形状に形成されたタオル本体１の長手方向に沿って形成された中央の縦折り線３と、該縦折り線３に直交するようにタオル本体１の幅方向に沿って形成された複数の横折り線４とによって、下段および上段で端から順次形成された複数個の清拭区画面（ａ，ｂ，ｃ，ｄ，ｅ，ｆ，ｇ，ｈ，ｉ，ｊ，ｋ，ｌ，ｍ，ｎ，ｏ，ｐ…）を備え、複数の横折り線４を介しての横折り込みと、中央の縦折り線３を介しての縦折り込みとにより、タオル本体１を複数の清拭区画面（ａ，ｂ，ｃ，ｄ，ｅ，ｆ，ｇ，ｈ，ｉ，ｊ，ｋ，ｌ，ｍ，ｎ，ｏ，ｐ…）の最小単位にまで折り畳まれることで左縁側もしくは右縁側から順次捲り返し可能とし、この折り畳み状態の表面に位置する清拭区画面ａ、および当該折り畳み状態からタオル本体１を順次捲り返して露出する各清拭区画面（ｅ，ｌ，ｐ，ｊ，ｃ…）それぞれが互いに順序付けられるよう当該清拭区画面（ａ，ｅ，ｌ，ｐ，ｊ，ｃ…）それぞれに捲り順表示手段５を表示して成ることを特徴とする。
捲り順表示手段５は、異なる番号もしくは異なる文字による符号、または互いに異なる色、あるいは色違いの符号であるものとすることができる。
タオル本体１は、前記中央の縦折り線３と複数の横折り線４とによって、下段に合計８個の矩形状の清拭区画面（ａ，ｂ，ｃ，ｄ，ｅ，ｆ，ｇ，ｈ）が、上段に合計８個の矩形状の清拭区画面（ｉ，ｊ，ｋ，ｌ，ｍ，ｎ，ｏ，ｐ）がそれぞれ区画形成され、複数の横折り線４を介しての横折り込みと、中央の縦折り線３を介しての縦折り込みとにより、タオル本体１を複数の清拭区画面（ａ，ｂ，ｃ，ｄ，ｅ，ｆ，ｇ，ｈ，ｉ，ｊ，ｋ，ｌ，ｍ，ｎ，ｏ，ｐ）の最小単位にまで折り畳まれることで左縁側もしくは右縁側から順次捲り返し可能とし、この折り畳み状態の表面に位置する１つの清拭区画面ａ、および当該折り畳み状態からタオル本体１を順次捲り返して露出する５つの清拭区画面（ｅ，ｌ，ｐ，ｊ，ｃ）それぞれが互いに順序付けられるよう、各清拭区画面（ａ，ｅ，ｌ，ｐ，ｊ，ｃ）それぞれに捲り順表示手段５を表示して成るものとできる。
タオル本体１は、互いに順序付けられる各清拭区画面（ａ，ｅ，ｌ，ｐ，ｊ，ｃ）それぞれの表面に表示された捲り順表示手段５に対応して、当該各清拭区画面（ａ，ｅ，ｌ，ｐ，ｊ，ｃ）の裏面にも同じ捲り順表示手段５が表示されているものとできる。
タオル本体１の一面に、折り畳み状態からタオル本体１を順次捲り返して露出する各清拭区画面（ａ，ｂ，ｃ，ｄ，ｅ，ｆ，ｇ，ｈ，ｉ，ｊ，ｋ，ｌ，ｍ，ｎ，ｏ，ｐ）の順序が、タオル本体１を捲り返すときの右側方面あるいは左側方面のいずれかであるかを区別して表示する捲り順表示手段５を２通りにして表示してあるものとできる。
【０００８】
以上のように構成された本考案に係る清拭タオルにあって、複数の横折り線４を介しての横折り込みと、中央の縦折り線３を介しての縦折り込みとにより、タオル本体１を複数の清拭区画面（ａ，ｂ，ｃ，ｄ，ｅ，ｆ，ｇ，ｈ，ｉ，ｊ，ｋ，ｌ，ｍ，ｎ，ｏ，ｐ…）の最小単位にまで折り畳まれることでコンパクトになり、使用者の手で持ち易くさせる。しかも、この折り畳み状態からタオル本体１を左縁側もしくは右縁側から順次捲り返すことで綺麗な清拭面を順次に露出させて、衛生的に使用させる。
すなわち、縦折り線３および横折り線４を介しての合計４回の折り込みによってタオル本体１を、全体の面積を占める複数の清拭区画面（ａ，ｂ，ｃ，ｄ，ｅ，ｆ，ｇ，ｈ，ｉ，ｊ，ｋ，ｌ，ｍ，ｎ，ｏ，ｐ）のうちの最小単位である１６分の１の清拭区画面ａ（ｂ，ｃ，ｄ，ｅ，ｆ，ｇ，ｈ，ｉ，ｊ，ｋ，ｌ，ｍ，ｎ，ｏ，ｐ）にまで縮小された状態に折り畳ませる。そして、捲り順表示手段５を表示した使用済みの清拭区画面を端側から捲って裏側に折り返えすことで、次の捲り順表示手段５を表示した綺麗な清拭面である清拭区画面を順次に表側に露出させる。
【考案の効果】
【０００９】
本考案によれば、長方形状のタオル本体１がコンパクトな状態に折り畳まれることで使用者が持ち易くなると共に、使用者は露出された一つの清拭区画面によって被介護者等の身体を簡単、迅速に清拭できる。しかも、折り畳みの状態から順次捲り返すことで常に綺麗な清拭面を順次に露出でき、同じ面が何回もの清拭に重複して使われないようにすることで、衛生的に清拭できるばかりでなく、これによって特定の一面のみしか使用しないことによる消耗を未然に防止できる。
【００１０】
すなわち、これは本考案が、長方形状に形成されたタオル本体１の長手方向に沿って形成された中央の縦折り線３と、該縦折り線３に直交するようにタオル本体１の幅方向に沿って形成された複数の横折り線４とによって、下段および上段で端から順次形成された複数個の清拭区画面（ａ，ｂ，ｃ，ｄ，ｅ，ｆ，ｇ，ｈ，ｉ，ｊ，ｋ，ｌ，ｍ，ｎ，ｏ，ｐ…）を備え、複数の横折り線４を介しての横折り込みと、中央の縦折り線３を介しての縦折り込みとにより、タオル本体１を複数の清拭区画面（ａ，ｂ，ｃ，ｄ，ｅ，ｆ，ｇ，ｈ，ｉ，ｊ，ｋ，ｌ，ｍ，ｎ，ｏ，ｐ…）の最小単位にまで折り畳まれることで左縁側もしくは右縁側から順次捲り返し可能とし、この折り畳み状態の表面に位置する清拭区画面ａ、および当該折り畳み状態からタオル本体１を順次捲り返して露出する各清拭区画面（ｅ，ｌ，ｐ，ｊ，ｃ…）それぞれが互いに順序付けられるよう当該清拭区画面（ａ，ｅ，ｌ，ｐ，ｊ，ｃ…）それぞれに捲り順表示手段５を表示して成るからである。これにより、複数の横折り線４を介しての横折り込みと、中央の縦折り線３を介しての縦折り込みとによってコンパクトに折り畳むことができ、使用者は手指等でしっかりとその全体を握持できるようになり、被介護者等の顔、手足、身体等を迅速に清拭でき、しかも被介護者に身体的負担をかけることも少なくなる。それと共に、捲り順表示手段５による捲り順に従って折り畳み状態からタオル本体１を左縁側もしくは右縁側から順次捲り返すことで綺麗な清拭面を順次に露出させることができ、同じ面が何回もの清拭に重複して使われないようにすることができる。更に、捲り返す方向の選択によって右利き用もしくは左利き用の清拭タオルとすることができる。
【００１１】
捲り順表示手段５は、異なる番号もしくは異なる文字による符号、または互いに異なる色、あるいは色違いの符号であるものとしたので、使用者、被介護者等にとって使用順序がわかりやすい種別番号、符号、色彩等を選択でき、ひいては興趣に営むものとして介護現場等に一つの華やかさを演出することもできる。
【００１２】
また、タオル本体１は、前記中央の縦折り線３と複数の横折り線４とによって、下段に合計８個の矩形状の清拭区画面（ａ，ｂ，ｃ，ｄ，ｅ，ｆ，ｇ，ｈ）が、上段に合計８個の矩形状の清拭区画面（ｉ，ｊ，ｋ，ｌ，ｍ，ｎ，ｏ，ｐ）がそれぞれ区画形成され、複数の横折り線４を介しての横折り込みと、中央の縦折り線３を介しての縦折り込みとにより、タオル本体１を複数の清拭区画面（ａ，ｂ，ｃ，ｄ，ｅ，ｆ，ｇ，ｈ，ｉ，ｊ，ｋ，ｌ，ｍ，ｎ，ｏ，ｐ）の最小単位にまで折り畳まれることで左縁側もしくは右縁側から順次捲り返し可能とし、この折り畳み状態の表面に位置する１つの清拭区画面ａ、および当該折り畳み状態からタオル本体１を順次捲り返して露出する５つの清拭区画面（ｅ，ｌ，ｐ，ｊ，ｃ）それぞれが互いに順序付けられるよう、各清拭区画面（ａ，ｅ，ｌ，ｐ，ｊ，ｃ）それぞれに前記捲り順表示手段５を表示して成る。そのため、例えば、下段の右端の捲り順の１番目である清拭区画面ａに符号「Ａ」が表示され、２つ隣の捲り順の６番目である清拭区画面ｃに符号「Ｆ」が表示され、さらに２つ隣の捲り順の２番目である清拭区画面ｅに符号「Ｂ」が表示され、上段の右端から１つ隣の捲り順の５番目である清拭区画面ｊに符号「Ｅ」が上下逆向きに表示され、２つ隣の捲り順の３番目である清拭区画面ｌに符号「Ｃ」が上下逆向きに表示され、さらに４つ隣の捲り順の４番目である清拭区画面ｐに符号「Ｄ」が上下逆向きに表示されて成ると共に、複数の横折り線４を介しての２回の横折り込みと、中央の縦折り線３を介しての１回の縦折り込みと、横折り線４を介しての１回の横折り込みとの合計４回の折り畳み状態からタオル本体１を右縁側から左手でもしくは左縁側から右手で順次捲り返すことで綺麗な清拭面を捲り順の１番目である「Ａ」から捲り順の６番目である「Ｆ」まで順次に露出させることができ、区画形成された清拭区画面（ａ，ｂ…）同じ面が何回もの清拭に重複して使われないようにした右利き用もしくは左利き用の清拭タオルを提供することができる。
【００１３】
さらに、タオル本体１は、互いに順序付けられる各清拭区画面（ａ，ｅ，ｌ，ｐ，ｊ，ｃ）それぞれの表面に表示された捲り順表示手段５に対応して、当該各清拭区画面（ａ，ｅ，ｌ，ｐ，ｊ，ｃ）の裏面にも同じ捲り順表示手段５が表示されているので、タオル本体１を裏返してから複数の清拭区画面（ａ，ｂ，ｃ，ｄ，ｅ，ｆ，ｇ，ｈ，ｉ，ｊ，ｋ，ｌ，ｍ，ｎ，ｏ，ｐ…）の最小単位にまで折り畳まれることで、表面側の場合と同様にして裏面側を使用することもできる。
【００１４】
そしてまた、タオル本体１の一面に、折り畳み状態からタオル本体１を順次捲り返して露出する各清拭区画面（ａ，ｂ，ｃ，ｄ，ｅ，ｆ，ｇ，ｈ，ｉ，ｊ，ｋ，ｌ，ｍ，ｎ，ｏ，ｐ）の順序が、タオル本体１を捲り返すときの右側方面あるいは左側方面のいずれかであるかを区別して表示する捲り順表示手段５を２通りにして表示してあるので、捲り返すときに右側方向（左利き）あるいは左側方向（右利き）のいずれかとなるように、タオル本体１を折り畳むときの折り畳み順序をいずれか一方によるものとして違えておいて、いずれか一方の捲り順表示手段５に従って捲り返すように使用することで、タオル本体１のほぼ全域を清拭に使用できる。そのため、例えば交互にそれを繰り返すことでその消耗程度を平均化し、長期にわたっての使用を可能にする。
【００１５】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００１６】
【図１】本考案を実施するための一形態における右利き用に左側方向に捲り返す清拭タオルを示すもので、（ａ）は展開平面図、（ｂ）は中央の横折り線を介して横に２つ折りにした状態の平面図、（ｃ）はさらに中央の横折り線を介して横に２つ折りにした状態の平面図、（ｄ）は中央の縦折り線を介して縦に２つ折りにした状態の平面図、（ｅ）は中央の横折り線を介して横に２つ折りにした状態の平面図である。ある。
【図２】同じく右利き用の清拭タオルの使用の一例を説明するもので、（ａ）は捲り順の１番目である番号「１」を表示した清拭区画面を表側に露出させている状態の正面図、（ｂ）は捲り順の２番目である番号「２」を表示した清拭区画面を表側に露出させた状態の正面図、（ｃ）は捲り順の３番目である番号「３」を表示した清拭区画面を表側に露出させた状態の正面図、（ｄ）は捲り順の４番目である番号「４」を表示した清拭区画面を表側に露出させた状態の正面図、（ｅ）は捲り順の５番目である番号「５」を表示した清拭区画面を表側に露出させた状態の正面図、（ｆ）は捲り順の６番目である番号「６」を表示した清拭区画面を表側に露出させた状態の正面図である。
【図３】左利き用に右側方向に捲り返す清拭タオルの一例を示すもので、（ａ）は展開平面図、（ｂ）は中央の横折り線を介して横に２つ折りにした状態の平面図、（ｃ）はさらに中央の横折り線を介して横に２つ折りにした状態の平面図、（ｄ）は中央の縦折り線を介して縦に２つ折りにした状態の平面図、（ｅ）は中央の横折り線を介して横に２つ折りにした状態の平面図である。
【図４】同じく左利き用の清拭タオルの使用の一例を説明するもので、（ａ）は捲り順の１番目である符号「Ａ」を表示した清拭区画面を表側に露出させている状態の正面図、（ｂ）は同じく捲り順の２番目である符号「Ｂ」を表示した清拭区画面を表側に露出せた状態の正面図、（ｃ）は同じく捲り順の３番目である符号「Ｃ」を表示した清拭区画面を表側に露出させた状態の正面図、（ｄ）は同じく捲り順の４番目である符号「Ｄ」を表示した清拭区画面を表側に露出させた状態の正面図、（ｅ）は同じく捲り順の５番目である符号「Ｅ」を表示した清拭区画面を表側に露出させた状態の正面図、（ｆ）は同じく捲り順の６番目である符号「Ｆ」を表示した清拭区画面を表側に露出させた状態の正面図である。
【図５】清拭タオルの使用の一例として背腰部を清拭する場合の説明図である。
【図６】左利き用の清拭タオルのさらに他の例を示すもので、（ａ）は展開平面図、（ｂ）は中央の横折り線を介して横に２つ折りにした状態の平面図、（ｃ）はさらに中央の横折り線を介して横に２つ折りにした状態の平面図、（ｄ）は中央の縦折り線を介して縦に２つ折りにした状態の平面図、（ｅ）は中央の横折り線を介して横に２つ折りにした状態の平面図である。
【図７】左利き用の清拭タオルのさらに他の例を示すもので、（ａ）は展開平面図、（ｂ）は中央の横折り線を介して横に２つ折りにした状態の平面図、（ｃ）はさらに中央の横折り線を介して横に２つ折りにした状態の平面図、（ｄ）は中央の縦折り線を介して縦に２つ折りにした状態の平面図、（ｅ）は中央の横折り線を介して横に２つ折りにした状態の平面図である。
【図８】タオル本体の表面あるいは裏面に、右利き用、左利き用それぞれによる２通りの捲り順表示手段を表示した場合の展開平面図である。
【考案を実施するための形態】
【００１７】
以下、図面を参照して本考案の実施の形態について説明すると、図において示される符号１は、本考案における清拭タオルを構成する例えば右利き用として左側方向に捲り返して使用されるものとしたタオル本体であり、例えば不織布・綿・布等のタオル生地によって長方形状に形成されている。
【００１８】
タオル本体１は、図１（ａ）に示すように、その長手方向の左右両端に、細長に折り返されて縫製された縁部２が形成されている。また、タオル本体１の左右の縁部２で挟まれた中央部分には長手方向に沿って縦折り線３が設けられている。さらに、この縦折り線３に直交するようにタオル本体１の幅方向に沿って７本の横折り線４が等間隔毎に設けられている。
【００１９】
これによりタオル本体１には、下段に合計８個の矩形状の清拭区画面（ａ，ｂ，ｃ，ｄ，ｅ，ｆ，ｇ，ｈ）が右端から順次形成され、上段に合計８個の矩形状の清拭区画面（ｉ，ｊ，ｋ，ｌ，ｍ，ｎ，ｏ，ｐ）が右端から順次形成される。尚、この清拭区画面（ａ，ｂ，ｃ，ｄ，ｅ，ｆ，ｇ，ｈ，ｉ，ｊ，ｋ，ｌ，ｍ，ｎ，ｏ，ｐ）は、縦折り線３、横折り線４によってタオル本体１が１６分割されて折り畳まれるときに区画形成されるのであり、必要に応じて、縦折り線３、横折り線４上に区画線が表示されることもある。
【００２０】
そして、複数の横折り線４を介しての横折り込みと、中央の縦折り線３を介しての縦折り込みとにより、タオル本体１を複数の清拭区画面（ａ，ｂ，ｃ，ｄ，ｅ，ｆ，ｇ，ｈ，ｉ，ｊ，ｋ，ｌ，ｍ，ｎ，ｏ，ｐ）の最小単位である１つの清拭区画面ａ（ｂ，ｃ，ｄ，ｅ，ｆ，ｇ，ｈ，ｉ，ｊ，ｋ，ｌ，ｍ，ｎ，ｏ，ｐ）のサイズにまで折り畳まれることで左縁側もしくは右縁側から順次捲り返して清拭使用できるようにしてある。
【００２１】
また、タオル本体１の折り畳み状態の表面に位置する清拭区画面ａ、および当該折り畳み状態からタオル本体１を順次捲り返して露出する各清拭区画面（ｅ，ｌ，ｐ，ｊ，ｃ…）それぞれが互いに順序付けられるよう当該清拭区画面（ａ，ｅ，ｌ，ｐ，ｊ，ｃ…）それぞれに、例えば順送りの数字からなる異なる番号等の符号による捲り順表示手段５を表示してある。
【００２２】
この捲り順表示手段５としては、後述するように複数の横折り線４を介しての横折り込みと、中央の縦折り線３を介しての縦折り込みとにより、下段の合計８個の清拭区画面（ａ，ｂ，ｃ，ｄ，ｅ，ｆ，ｇ，ｈ）のうち、右端の清拭区画面ａが捲り順の１番目となり、２つ隣の清拭区画面ｃが捲り順の６番目となり、さらに２つ隣の清拭区画面ｅが捲り順の２番目となる。
【００２３】
また、上段の合計８個の清拭区画面（ｉ，ｊ，ｋ，ｌ，ｍ，ｎ，ｏ，ｐ）のうち、右端から１つ隣の清拭区画面ｊが捲り順の５番目となり、２つ隣の清拭区画面ｌが捲り順の３番目となり、さらに４つ隣の清拭区画面ｐが捲り順の４番目となる。
【００２４】
そして、捲り順表示手段５として、例えば、下段の合計８個の清拭区画面（ａ，ｂ，ｃ，ｄ，ｅ，ｆ，ｇ，ｈ）のうち、捲り順の１番目となる右端の清拭区画面ａには番号「１」が表示され、捲り順の６番目となる２つ隣の清拭区画面ｃには番号「６」が表示され、さらに捲り順の２番目となる２つ隣の清拭区画面ｅには番号「２」が表示されている。
【００２５】
また、上段の合計８個の清拭区画面（ｉ，ｊ，ｋ，ｌ，ｍ，ｎ，ｏ，ｐ）のうち、捲り順の５番目となる右端から１つ隣の清拭区画面ｊには番号「５」が上下逆向きに表示され、捲り順の３番目となる２つ隣の清拭区画面ｌには番号「３」が上下逆向きに表示され、さらに捲り順の４番目となる４つ隣の清拭区画面ｐには番号「４」が上下逆向きに表示されている。
【００２６】
尚、タオル本体１の裏面においても、上記と同じ縦横の折り込みによって同じような捲り順で清拭使用できるようにするために、表面に表示された捲り順表示手段５に対応して裏面にも同じ捲り順表示手段５が施されることもある。
【００２７】
また、捲り順表示手段５としては、これら順送り数字の番号による符号の替わりにアルファベット文字の符号「Ａ，Ｂ，Ｃ…」や、カタカナ文字「イ，ロ，ハ…」等の順序立てられている各種の符号を使用しても良い。また、これら文字の替わりに、合計１６個の清拭区画面（ａ，ｂ，ｃ，ｄ，ｅ，ｆ，ｇ，ｈ，ｉ，ｊ，ｋ，ｌ，ｍ，ｎ，ｏ，ｐ）それぞれに対し、「赤，緑、青、…」のように互いに異なる色を施しても良い。さらに、色違いの番号、アルファベット文字、カタカナ文字等を使用しても良く、いずれにしても捲り返されるときに、その順序を意味する表示が順次に現れれば良い。
【００２８】
次に、以上のように構成された形態についての使用の一例について説明すると、このタオル本体１を使用する前に、先ず、７本の横折り線４のうち中央の横折り線４を山折り状に折り曲げて裏面同士を接合する。このとき、図１（ｂ）に示すように、左右の縁部２同士が重ねられ、捲り順の２番目となる番号「２」を表示した清拭区画面ｅが下段右端に位置し、捲り順の４番目となる番号「４」を上下逆向きに表示した清拭区画面ｐが上段左端に位置する。
【００２９】
この横２つ折りにした状態からさらに中央の横折り線４を谷折り状に折り曲げて表面同士を接合する。このとき、図１（ｃ）に示すように、左側で互いに重なっている両縁部２と右端の横折り線４とが重ねられ、捲り順の６番目となる番号「６」を表示した裏側の清拭区画面ｃが下段右端に位置し、捲り順の３番目となる番号「３」を上下逆向きに表示した裏側の清拭区画面ｌが上段左端に位置する。
【００３０】
この横４つ折りにした状態からさらに中央の縦折り線３を谷折り状に折り曲げて表面同士を接合する。このとき、図１（ｄ）に示すように、左右の横折り線４の各半分同士が中央の縦折り線３を介して互いに重ねられ、捲り順の５番目となる番号「５」を表示した裏側の清拭区画面ｊが右端に位置する。
【００３１】
この縦２つ折りにした状態からさらに中央の横折り線４を谷折り状に折り曲げて表面同士を接合する。このとき、図１（ｅ）に示すように、左端の縁部２と右端の横折り線４とが重ねられ、捲り順の１番目となる番号「１」を表示した裏側の清拭区画面ａが表側に位置する。
【００３２】
このように縦折り線３および横折り線４を介しての合計４回の折り込みによってタオル本体１は全体の面積を占める複数の清拭区画面（ａ，ｂ，ｃ，ｄ，ｅ，ｆ，ｇ，ｈ，ｉ，ｊ，ｋ，ｌ，ｍ，ｎ，ｏ，ｐ）のうち、最小単位である１６分の１の清拭区画面ａ（ｂ，ｃ，ｄ，ｅ，ｆ，ｇ，ｈ，ｉ，ｊ，ｋ，ｌ，ｍ，ｎ，ｏ，ｐ）にまでにコンパクトに縮小された状態に折り畳まれる。
【００３３】
使用に際し、図２（ａ）に示すように、この折り込まれたタオル本体１を例えば右手で持ち、このときの表面さらには裏面によって身体の所定の箇所である、例えば、背腰部・顔・上肢・腹胸部・下肢・陰部・臀部等を清拭する。
【００３４】
以下、例えば、背腰部を清拭する場合について図５に基づき説明する。尚、顔・上肢・腹胸部・下肢・陰部・臀部等を清拭する場合においても、以下の手順と同様にして行う。  
【００３５】
先ず、タオル本体１をお湯につけ込んで濯いでからきつく絞っておく。そして、タオル本体１を広げて、上記したように最小単位に折り畳んでおく。これを右手で持ち、捲り順の１番目となる番号「１」を表示した清拭区画面ａでもって首背後の頸椎部分から左右肩部にかけて清拭する。
【００３６】
この捲り順の１番目による清拭後には、図２（ｂ）に示すように、番号「１」を表示した清拭区画面ａを右端の縁部２側から左手で捲って左側方向の裏側に折り返えすことで、捲り順の２番目となる番号「２」を表示した清拭区画面ｅが表側に露出する。このタオル本体１を右手で持ち、捲り順の２番目となる番号「２」を表示した清拭区画面ｅでもって身体の背骨に沿った部分の清拭を行う。
【００３７】
この捲り順の２番目による清拭後には、図２（ｃ）に示すように、番号「２」を表示した清拭区画面ｅを右端の横折り線４側から左手で捲って裏側に折り返えすことで、捲り順の３番目となる番号「３」を表示した清拭区画面ｌが表側に露出する。このタオル本体１を右手で持ち、捲り順の３番目となる番号「３」を表示した清拭区画面ｌでもって身体背面の左胸部の清拭を行う。
【００３８】
この捲り順の３番目による清拭後には、図２（ｄ）に示すように、番号「３」を表示した清拭区画面ｌを右端の横折り線４側から左手で捲って裏側に折り返えすことで、捲り順の４番目となる番号「４」を表示した清拭区画面ｐが表側に露出する。このタオル本体１を右手で持ち、捲り順の４番目となる番号「４」を表示した清拭区画面ｌでもって身体の背面の右胸部の清拭を行う。
【００３９】
この捲り順の４番目による清拭後には、図２（ｅ）に示すように、番号「４」を表示した清拭区画面ｐを右端の縁部２側から左手で捲って裏側に折り返えすことで、捲り順の５番目となる番号「５」を表示した清拭区画面ｊが表側に露出する。このタオル本体１をいったん温めておき、これを右手で持ち、捲り順の５番目となる番号「５」を表示した清拭区画面ｊでもって身体背部の腰部の清拭を行う。
【００４０】
この捲り順の５番目による清拭後には、図２（ｆ）に示すように、番号「５」を表示した清拭区画面ｊを右端の横折り線４側から左手で捲って裏側に折り返えすことで、捲り順の６番目となる番号「６」を表示した清拭区画面ｃが表側に露出する。このタオル本体１を右手で持ち、捲り順の６番目となる番号「６」を表示した清拭区画面ｃでもって身体腰部の左右両側の清拭を行う。
【００４１】
尚、上記したタオル本体１の各折り返しにおいて、当該タオル本体１の裏側には順次綺麗な清拭面が露出配置されるものとなり、この面も上記と同様にして清拭に使用されるようにしても良い。
【００４２】
また、図３は、例えば右側方向に捲り返す左利き用の清拭タオルの例が示されている。すなわち、本例では、必要に応じ例えばタオル本体１の裏面を表面に置き換えて使用する。この場合、複数の横折り線４を介しての横折り込みと、中央の縦折り線３を介しての縦折り込みとにより、下段の合計８個の清拭区画面（ａ，ｂ，ｃ，ｄ，ｅ，ｆ，ｇ，ｈ）のうち、左端の清拭区画面ｈが捲り順の１番目となり、２つ隣の清拭区画面ｆが捲り順の６番目となり、さらに２つ隣の清拭区画面ｄが捲り順の２番目となる。
【００４３】
また、上段の合計８個の清拭区画面（ｉ，ｊ，ｋ，ｌ，ｍ，ｎ，ｏ，ｐ）のうち、左端から１つ隣の清拭区画面ｏが捲り順の５番目となり、２つ隣の清拭区画面ｍが捲り順の３番目となり、さらに右端の清拭区画面ｉが捲り順の４番目となる。
【００４４】
そして、捲り順表示手段５として、下段の合計８個の清拭区画面（ａ，ｂ，ｃ，ｄ，ｅ，ｆ，ｇ，ｈ）のうち、捲り順の１番目となる左端の清拭区画面ｈには符号「Ａ」が表示され、捲り順の６番目となる２つ隣の清拭区画面ｆには符号「Ｆ」が表示され、さらに捲り順の２番目となる２つ隣の清拭区画面ｄには符号「Ｂ」が表示されている。
【００４５】
また、タオル本体１の上段の合計８個の清拭区画面（ｉ，ｊ，ｋ，ｌ，ｍ，ｎ，ｏ，ｐ）のうち、左端から１つ隣の捲り順の５番目となる清拭区画面ｏには符号「Ｅ」が上下逆向きに表示され、捲り順の３番目となる２つ隣の清拭区画面ｍには符号「Ｃ」が上下逆向きに表示され、さらに捲り順の４番目となる右端の清拭区画面ｉには符号「Ｄ」が上下逆向きに表示されている。
【００４６】
このタオル本体１を使用する場合には、先ず、７本の横折り線４のうち中央の横折り線４を山折り状に折り曲げて裏面同士を接合する。このとき、図３（ｂ）に示すように、左右の縁部２同士が重ねられる。
【００４７】
この横２つ折りにした状態からさらに中央の横折り線４を山折り状に折り曲げて裏面同士を接合する。このとき、図３（ｃ）に示すように、左側で互いに重なっている両縁部２と右端の横折り線４とが重ねられ、捲り順の６番目となる符号「Ｆ」を表示した清拭区画面ｆが下段左端に位置し、捲り順の３番目となる符号「Ｃ」を上下逆向きに表示した清拭区画面ｍが上段右端に位置する。
【００４８】
この横４つ折りにした状態からさらに中央の縦折り線３を谷折り状に折り曲げて表面同士を接合する。このとき、図３（ｄ）に示すように、左右の横折り線４の各半分同士が中央の縦折り線３を介して互いに重ねられ、捲り順の５番目となる符号「Ｅ」を表示した清拭区画面ｏが左端に位置する。
【００４９】
この縦２つ折りにした状態からさらに中央の横折り線４を谷折り状に折り曲げて表面同士を接合する。このとき、図３（ｅ）に示すように、右端の縁部２と左端の横折り線４とが重ねられ、捲り順の１番目となる符号「Ａ」を表示した裏側の清拭区画面ｈが表側に位置する（図４（ａ）参照）。
【００５０】
このように折り畳まれたタオル本体１は、例えば左手で持って捲り順の１番目となる符号「Ａ」を表示した清拭区画面ｈによって清拭し、その後、左端の縁部２側から右側方向に右手で捲って裏側に折り返えすことで捲り順の２番目となる符号「Ｂ」を表示した清拭区画面ｄを露出させ（図４（ｂ）参照）、タオル本体１を左手で持って清拭する。
【００５１】
また、符号「Ｂ」を表示した清拭区画面ｄを左端の横折り線４側から右手で捲って裏側に折り返えすことで捲り順の３番目となる符号「Ｃ」を表示した清拭区画面ｍを露出させ（図４（ｃ）参照）、タオル本体１を左手で持って清拭する。
【００５２】
また、符号「Ｃ」を表示した清拭区画面ｍを左端の横折り線４側から右手で捲って裏側に折り返えすことで捲り順の４番目となる符号「Ｄ」を表示した清拭区画面ｉを露出させ、（図４（ｄ）参照）、タオル本体１を左手で持って清拭する。
【００５３】
また、符号「Ｄ」を表示した清拭区画面ｉを左端の縁部２側から右手で捲って裏側に折り返えすことで捲り順の５番目となる符号「Ｅ」を表示した清拭区画面ｏを露出させ（図４（ｅ）参照）、タオル本体１を左手で持って清拭する。
【００５４】
また、符号「Ｅ」を表示した清拭区画面ｏを左端の横折り線４側から右手で捲って裏側に折り返えすことで捲り順の６番目となる符号「Ｆ」を表示した清拭区画面ｆを露出させ（図４（ｆ）参照）、タオル本体１を左手で持って清拭する。
【００５５】
図６には、左利き用の清拭タオルのさらに他の例が示されている。すなわち、複数の横折り線４を介しての横折り込みと、中央の縦折り線３を介しての縦折り込みとにより、下段の合計８個の清拭区画面（ａ，ｂ，ｃ，ｄ，ｅ，ｆ，ｇ，ｈ）のうち、左端の清拭区画面ｈが捲り順の２番目となり、４つ隣の清拭区画面ｄが捲り順の１番目となり、さらに２つ隣の清拭区画面ｂが捲り順の６番目となる。
【００５６】
また、上段の合計８個の清拭区画面（ｉ，ｊ，ｋ，ｌ，ｍ，ｎ，ｏ，ｐ）のうち、左端から４つ隣の清拭区画面ｍが捲り順の４番目となり、２つ隣の清拭区画面ｋが捲り順の５番目となり、さらに右端の清拭区画面ｉが捲り順の３番目となる。
【００５７】
そして、捲り順表示手段５として、下段の合計８個の清拭区画面（ａ，ｂ，ｃ，ｄ，ｅ，ｆ，ｇ，ｈ）のうち、捲り順の２番目となる左端の清拭区画面ｈには番号「２」が表示され、捲り順の１番目となる４つ隣の清拭区画面ｄには番号「１」が表示され、さらに捲り順の６番目となる２つ隣の清拭区画面ｂには番号「６」が表示されている。
【００５８】
また、タオル本体１の上段の合計８個の清拭区画面（ｉ，ｊ，ｋ，ｌ，ｍ，ｎ，ｏ，ｐ）のうち、捲り順の３番目となる右端の清拭区画面ｉには番号「３」が上下逆向きに表示され、捲り順の５番目となる２つ隣の清拭区画面ｋには番号「５」が上下逆向きに表示され、さらに捲り順の４番目となる２つ隣の清拭区画面ｍには番号「４」が上下逆向きに表示されている。
【００５９】
このタオル本体１を使用する場合には、先ず、７本の横折り線４のうち中央の横折り線４を山折り状に折り曲げて裏面同士を接合する。このとき、図６（ｂ）に示すように、左右の縁部２同士が重ねられる。
【００６０】
この横２つ折りにした状態からさらに中央の横折り線４を谷折り状に折り曲げて表面同士を接合する。このとき、図６（ｃ）に示すように、左側で互いに重なっている両縁部２と右端の横折り線４とが重ねられ、番号「５」を上下逆向きに表示した捲り順の５番目となる清拭区画面ｋが上段右端に位置し、番号「１」を表示した捲り順の１番目となる清拭区画面ｄが下段左端に位置する。
【００６１】
この横４つ折りにした状態からさらに中央の縦折り線３を山折り状に折り曲げて裏面同士を接合する。このとき、図６（ｄ）に示すように、左右の横折り線４の各半分同士が中央の縦折り線３を介して互いに重ねられ、番号「１」を表示した捲り順の１番目となる清拭区画面ｄが左端に位置する。
【００６２】
この縦２つ折りにした状態からさらに中央の横折り線４を山折り状に折り曲げて裏面同士を接合する。このとき、図６（ｅ）に示すように、右左の横折り線４同士が重ねられ、番号「１」を表示した捲り順の１番目となる清拭区画面ｄが表側に位置する。
【００６３】
図７には、左利き用の清拭タオルのさらに他の例が示されている。すなわち、複数の横折り線４を介しての横折り込みと、中央の縦折り線３を介しての縦折り込みとにより、下段の合計８個の清拭区画面（ａ，ｂ，ｃ，ｄ，ｅ，ｆ，ｇ，ｈ）のうち、右端の清拭区画面ａが捲り順の３番目となり、２つ隣の清拭区画面ｃが捲り順の５番目となり、さらに２つ隣の清拭区画面ｅが捲り順の４番目となる。
【００６４】
また、上段の合計８個の清拭区画面（ｉ，ｊ，ｋ，ｌ，ｍ，ｎ，ｏ，ｐ）のうち、左端の清拭区画面ｐが捲り順の２番目となり、４つ隣の清拭区画面ｌが捲り順の１番目となり、さらに２つ隣の清拭区画面ｊが捲り順の６番目となる
【００６５】
そして、捲り順表示手段５として、下段の合計８個の清拭区画面（ａ，ｂ，ｃ，ｄ，ｅ，ｆ，ｇ，ｈ）のうち、捲り順の３番目となる右端の清拭区画面ａにはアルファベット文字の「Ｃ」が表示され、捲り順の５番目となる２つ隣の清拭区画面ｃにはアルファベット文字の「Ｅ」が表示され、さらに捲り順の４番目となる２つ隣の清拭区画面ｅにはアルファベット文字の「Ｄ」が表示されている。
【００６６】
また、タオル本体１の上段の合計８個の清拭区画面（ｉ，ｊ，ｋ，ｌ，ｍ，ｎ，ｏ，ｐ）のうち、捲り順の２番目となる左端の清拭区画面ｐにはアルファベット文字の「Ｂ」が上下逆向きに表示され、捲り順の１番目となる４つ隣の清拭区画面ｌにはアルファベット文字の「Ａ」が上下逆向きに表示され、さらに捲り順の６番目となる２つ隣の清拭区画面ｊにはアルファベット文字の「Ｆ」が上下逆向きに表示されている。
【００６７】
このタオル本体１を使用する場合には、先ず、７本の横折り線４のうち中央の横折り線４を山折り状に折り曲げて裏面同士を接合する。このとき、図７（ｂ）に示すように、左右の縁部２同士が重ねられる。
【００６８】
この横２つ折りにした状態からさらに中央の横折り線４を谷折り状に折り曲げて表面同士を接合する。このとき、図７（ｃ）に示すように、左側で互いに重なっている両縁部２と右端の横折り線４とが重ねられ、アルファベット文字の「Ａ」を上下逆向きに表示した捲り順の１番目となる清拭区画面ｌが上段左端に位置し、アルファベット文字の「Ｅ」を表示した捲り順の５番目となる清拭区画面ｃが下段右端に位置する。
【００６９】
この横４つ折りにした状態からさらに中央の縦折り線３を山折り状に折り曲げて裏面同士を接合する。このとき、図７（ｄ）に示すように、左右の横折り線４の各半分同士が中央の縦折り線３を介して互いに重ねられ、アルファベット文字の「Ｅ」を表示した捲り順の５番目となる清拭区画面ｃが右端に位置する。
【００７０】
この縦２つ折りにした状態からさらに中央の横折り線４を谷折り状に折り曲げて表面同士を接合する。このとき、図７（ｅ）に示すように、左端の縁部２と右端の横折り線４とが重ねられ、アルファベット文字の「Ａ」を表示した捲り順の１番目となる清拭区画面ｌが表側に位置する。
【００７１】
尚、タオル本体１の複数の清拭区画面（ａ，ｂ，ｃ，ｄ，ｅ，ｆ，ｇ，ｈ，ｉ，ｊ，ｋ，ｌ，ｍ，ｎ，ｏ，ｐ）に表示する捲り順表示手段５の上記した各表示配置例は、本考案のほんの一部を示すものであり、例えば、上記表示配置によるものと違う面を使って、順捲りの６面が得られるように種々の配置パターンが考えられることは勿論である。さらに、これら全ての配置パターンとなる捲り順表示手段５をタオル本体１の各清拭区画面（ａ，ｂ，ｃ，ｄ，ｅ，ｆ，ｇ，ｈ，ｉ，ｊ，ｋ，ｌ，ｍ，ｎ，ｏ，ｐ）、および各裏面に併用表示しておいても良い。
【００７２】
図８にはタオル本体１の表面あるいは裏面に２通りの捲り順表示手段５を表示形成した例が示されている。すなわち、タオル本体１の一面に、折り畳み状態からタオル本体１を順次捲り返して露出する各清拭区画面（ａ，ｂ，ｃ，ｄ，ｅ，ｆ，ｇ，ｈ，ｉ，ｊ，ｋ，ｌ，ｍ，ｎ，ｏ，ｐ）の順序が、タオル本体１を捲り返すときの右側方面あるいは左側方面のいずれかであるかを区別して表示する捲り順表示手段５を２通りにして表示してあることで構成されている。
【００７３】
具体的には、図１によって示された右利き用の捲り順表示手段５による順送りの符号となる番号と、図３によって示された左利き用の捲り順表示手段５において、これをアルファベット順の符号となるアルファベット記号とを併記したのである。これによると、一つの清拭区画面が露出されるように折り畳まれることで捲り返されながら清拭使用されるとしても、それらの間では重複される面が生じないために、タオル本体１のほぼ全域の清拭区画面を使用でき、部分的に過度に消耗させずに済み無駄がなく、また、異なる配置となる捲り順表示手段５による捲り返し順序を交互に使用すること等で、タオル本体１全体を平均的に長期にわたって使用できる。
【符号の説明】
【００７４】
ａ，ｂ，ｃ，ｄ，ｅ，ｆ，ｇ，ｈ，ｉ，ｊ，ｋ，ｌ，ｍ，ｎ，ｏ，ｐ…清拭区画面
１…タオル本体                          ２…縁部
３…縦折り線                            ４…横折り線
５…捲り順表示手段
【図１】
0003151520.tif 000003
【図２】
0003151520.tif 000004
【図３】
0003151520.tif 000005
【図４】
0003151520.tif 000006
【図５】
0003151520.tif 000007
【図６】
0003151520.tif 000008
【図７】
0003151520.tif 000009
【図８】
0003151520.tif 000010